(57)【要約】【課題】絵画や写真などを保持させ、壁面接触部の壁面固定手段で所望の壁面に固定した場合に、任意の角度に傾けたり、回転させたりすることができる壁面固定用額縁を提供すること。【解決手段】本考案に係る壁面固定用額縁は、正面板（１）、当該正面板（１）に対向する背面板（２）、当該正面板（１）と背面板（２）との間に設けられた側面板（３）から構成された、壁面固定用額縁であって、  前記背面板（２）が、開口部（４）と、背面蓋部（５）とから構成され、  前記背面蓋部（５）は、伸縮材料から構成された伸縮篏合部（５Ａ）および壁面接触部（５Ｂ）を有し、前記伸縮篏合部（５Ａ）において、前記開口部（４）に着脱自在かつ回転自在に篏合し、壁面接触部（５Ｂ）は壁面固定手段（５Ｃ）を有していることを特徴とする。【選択図】図１
0003227653.tif 000002
【実用新案登録請求の範囲】
【請求項１】
正面板（１）、当該正面板（１）に対向する背面板（２）、当該正面板（１）と背面板（２）との間に設けられた側面板（３）から構成された、壁面固定用額縁であって、
前記背面板（２）が、開口部（４）と、背面蓋部（５）とから構成され、
前記背面蓋部（５）は、伸縮材料から構成された伸縮篏合部（５Ａ）および壁面接触部（５Ｂ）を有し、前記伸縮篏合部（５Ａ）において、前記開口部（４）に着脱自在かつ回転自在に篏合し、
壁面接触部（５Ｂ）は、壁面固定手段（５Ｃ）を有していることを特徴とする壁面固定用額縁。
【請求項２】
前記伸縮篏合部（５Ａ）が、ウレタンスポンジ、ゴムスポンジおよびコルクからなる群から選択される少なくとも１つの伸縮材料から構成されていることを特徴とする請求項１に記載の壁面固定用額縁。
【請求項３】
壁面接触部（５Ｂ）は、粘着剤からなる粘着剤層、画びょう、ネジ、釘および面テープからなる群から選択される少なくとも１種類の壁面固定手段（５Ｃ）を有していることを特徴とする請求項１又は２に記載の壁面固定用額縁。
【考案の詳細な説明】
【技術分野】
【０００１】
本考案は、新規の壁面固定額縁に関するものであり、より具体的には、たとえば、絵画や写真などを保持させ、壁面接触部の壁面固定手段で所望の壁面に固定した場合に、任意の角度に傾けたり、回転させたりすることができる壁面固定額縁に関する。
【背景技術】
【０００２】
従来より、たとえば、展示物・鑑賞物（絵画、写真、賞状等）は、単に、画びょうなどの固定手段で直接壁面に固定された状態で展示されることはなく、額縁内部に保持され、当該額縁の背面板にある固定手段によって壁面に固定された状態で展示されることが多い。
【０００３】
このような額縁について、様々な観点から開発が進展している。
【０００４】
たとえば、特許文献１では、従来の「吊金具に吊り紐等を通して吊り掛ける際には、額縁が左右に傾いてしまい、正しい位置決めをし難い等の難しさ」という課題に対して（明細書段落０００４）、「賞状、写真、及び絵画等の外周を囲む枠材フレームと、該枠材フレームの内側に配設され、前面となる透明なカバー板と、その後面の該透明なカバー板の裏面を覆う裏板とでなり、枠材フレームの裏面には、ビス止めされた裏板保持部材、及び吊り紐等を通して壁へ吊り掛ける吊金具等の付設物が設けられ、その付設物の嵩高より背の高い磁石を枠材フレームの四隅部に接着し、磁性のある対象板に磁着させて掲示することを特徴とする額縁」が開示されている（実用新案登録請求の範囲）。
【０００５】
そして、かかる額縁は、このような構成を採用することにより、「吊金具に通した吊り紐で額縁を掲示する際には、額縁が壁などの対象板に対して傾斜角を呈して掲示保持されるので、額縁に収容された賞状、写真、及び絵画等が見え難くされる点を、磁石が額縁の裏面に設けられ、これで、壁などの対象板に磁着することによって、額縁との傾斜角を呈することなく、壁などの対象板と平行に掲載され、額縁に収容した賞状、写真、及び絵画を明瞭に見ることができるようにする」ことができる旨開示指されている（明細書段落０００６）
【先行技術文献】
【特許文献】
【０００６】
【特許文献１】実用新案登録第３２１８２４９号公報
【考案の概要】
【考案が解決しようとする課題】
【０００７】
しかしながら、特許文献１に開示された額縁は、額縁が壁などに対して傾斜角を呈することを防止・低減することを目的とし、それを達成するための構成を有しているため、当然、壁面に固定した従来の額縁では、固定時の角度が維持され（すなわち、傾斜角度が生じないように維持され）、任意にその角度を調整したり、回転させたりすることができないものである。
【０００８】
すなわち、額縁に保持された状態の展示物を、たとえば９０度回転させるなど、任意の角度に調整することはできず、鑑賞スタイルの自由度が制限されているものであった。
【０００９】
そこで、本考案者は、従来の額縁における鑑賞スタイルの自由度が制限されているという課題およびその解決手段について鋭意検討し、本考案を完成させた。
すなわち、壁面に固定した従来の額縁では、固定時の角度が維持され、任意にその角度を調整したり、回転させたりすることができないのに対して、本考案に係る額縁は、たとえば、絵画や写真などを保持させ、壁面接触部の壁面固定手段で所望の壁面に固定した場合に、任意の角度に傾けたり、回転させたりすることができる壁面固定用額縁を提供することを目的とする。
【課題を解決するための手段】
【００１０】
本考案に係る壁面固定用額縁は、正面板（１）、当該正面板（１）に対向する背面板（２）、当該正面板（１）と背面板（２）との間に設けられた側面板（３）から構成された、壁面固定用額縁であって、前記背面板（２）が、開口部（４）と、背面蓋部（５）とから構成され、前記背面蓋部（５）は、伸縮材料から構成された伸縮篏合部（５Ａ）および壁面接触部（５Ｂ）を有し、前記伸縮篏合部（５Ａ）において、前記開口部（４）に着脱自在かつ回転自在に篏合し、壁面接触部（５Ｂ）は、壁面固定手段（５Ｃ）を有していることを特徴とする。
【００１１】
また、本考案の壁面固定用額縁において、前記伸縮篏合部（５Ａ）が、ウレタンスポンジ、ゴムスポンジおよびコルクからなる群から選択される少なくとも１つの伸縮材料から構成されていることが好ましい。
さらには、本考案の壁面固定用額縁において、壁面接触部（５Ｂ）は、粘着剤からなる粘着剤層、画びょう、ネジ、釘および面テープからなる群から選択される少なくとも１種類の壁面固定手段（５Ｃ）を有していることが好ましい。
【考案の効果】
【００１２】
壁面に固定した従来の額縁では、固定時の角度が維持され、任意にその角度を調整したり、回転させたりすることができないのに対して、本考案に係る額縁は、たとえば、絵画や写真などを保持させ、壁面接触部の壁面固定手段で所望の壁面に固定した場合に、任意の角度に傾けたり、回転させたりすることができる。特に、写真や絵画など鑑賞物を側面部のスリット部分から額縁内部に挿入する形態を有する場合、当該スリット部分が下方向（鉛直方向）になるように回転させることで、額縁を壁面から取り外すことなく、容易に鑑賞物を交換することができる。
【図面の簡単な説明】
【００１３】
【図１】図１は、本考案に係る壁面固定額縁を説明するための図である。
【図２】図２は、本考案に係る壁面固定額縁の使用例を説明するための図である。
【図３】図３は、本考案に係る壁面固定額縁の一態様を説明するための図である。
【考案を実施するための形態】
【００１４】
以下、本考案に係る壁面固定額縁について、図面を適宜参照しながら説明する。
【００１５】
図１（Ａ）および（Ｂ）は、それぞれ、本考案に係る壁面固定額縁の正面図および背面図である。本明細書において、「正面」とは、壁面固定額縁を壁面に固定した際に、鑑賞者が鑑賞物を視認できる部分を言い、「背面」とは、後述する開口部４が設けられ、壁面固定額縁を壁面に固定した際には壁面に壁面固定手段５Ｃを介して接する部分を言う。
本考案に係る壁面固定額縁は、図１（Ａ）〜（Ｂ）で示されるように、正面板１、背面板２、側面板３（通常４つ）から構成されている。
【００１６】
ここで、背面板２は、正面板１に対向する位置関係にあり、正面板１と背面板２との間には、側面板３が設けられている。そのため、本考案に係る壁面固定額縁は、通常、扁平な６面体の立体形状を有している。ここで、正面板１、背面板２および側面板３の材質や形状、重量は特に限定されず、たとえば、鑑賞物の大きさ、重量などを考慮して適宜選択される。
【００１７】
正面板１、背面板２および側面板３の材質としては、たとえば、プラスチック、金属、木などが挙げられる。桐やバルサ材など、軽量な材料で構成すると、後述する壁面固定手段５Ｃ（たとえば粘着剤層）の固定力（接着力など）が弱くても、壁面固定額縁を安定的に壁面に固定することができ、取り外しの際は、容易に取り外せるという観点から好ましい。なお、桐などで構成した場合、壁面固定額縁の重量を６５ｇ程度にすることができる。
【００１８】
正面板１は、図１（Ａ）の付番１Ａに示されるように、窓部を有していてもよい。当該窓部は、鑑賞物を壁面固定額縁に保持させた場合に、鑑賞者が視認できるようにするために設けられる。当該窓部１Ａとしては、たとえば、単に開口されている部分（開口部）であってもよいし、開口部に、透明板（たとえば、ガラス板、アクリル板など透明材料で構成された板）が固着されたものであってもよい。
なお、正面板１自体が透明材料で構成されているのであれば、鑑賞物を壁面固定額縁に保持させた場合に、鑑賞者が視認できるため、当該窓部１Ａを設けなくてもよい。
【００１９】
図１（Ｂ）の付番４に示されるように、背面板２には、開口部４が設けられ、図１（Ｃ）〜（Ｅ）で示されるような背面蓋部５が篏合している（図１（Ｅ））。開口部４の形状は、後述するように、背面蓋部５を篏合させた状態で、壁面固定額縁が回転可能な状態にするものであれば特に限定されないが、通常、円形または楕円形であり、好ましくは円形である。また、開口部４の大きさ（面積）も、同様に、背面蓋部５を篏合させた状態で、壁面固定額縁が回転可能な状態にするものであれば特に限定されない。また、開口部４の位置も、特に限定されないが、背面板２のほぼ中心（より具体的には重心部分）にあることが好ましい。壁面固定用額縁を壁面に安定的に固定できるためである。
【００２０】
図１（Ｃ）は、背面蓋部５の開口部４に篏合する面を示している。ここで、例示されるように、背面蓋部５は、伸縮材料から構成された伸縮篏合部（５Ａ）および壁面接触部（５Ｂ）を有する。より具体的には、壁面接触部（５Ｂ）上に伸縮篏合部（５Ａ）が設けられ、図１（Ｅ）に示されるように、背面蓋部５は、伸縮篏合部（５Ａ）を介して開口部４に篏合されている。
【００２１】
伸縮篏合部（５Ａ）を構成する伸縮材料は、背面蓋部５を篏合させた状態で、壁面固定額縁が回転可能な状態にするものであれば特に限定されないが、たとえば、ウレタンスポンジ、ゴムスポンジ、コルクなどが挙げられ、こられは単独で使用してもよいし、２種類以上で併用してもよい。
【００２２】
壁面接触部（５Ｂ）は、通常、伸縮篏合部（５Ａ）よりも大きな面積を有するほうが、壁面固定用額縁を壁面に安定的に固定できる観点から好ましい。
また、壁面接触部（５Ｂ）の材質は、特に限定されず、通常、プラスチック、金属、木材などが挙げられる。
【００２３】
図１（Ｄ）は、背面蓋部５の壁面に接触する側を示し、壁面接触部（５Ｂ）の表面（すなわち、壁面に接触する部分）には、壁面固定手段（５Ｃ）が設けられている。ここで、壁面固定手段（５Ｃ）としては、壁面に所望の固定力（接着力、粘着力など）で壁面固定用額縁を固定できる限り、公知の固定手段が使用できる。
【００２４】
図１（Ｄ）〜（Ｅ）では、壁面固定手段（５Ｃ）として、粘着剤（接着剤）からなる粘着剤層を示しているが、これに限定されるものではない。ただし、壁面固定用額縁を壁面への固定、あるいは取り外しが容易であるという観点からは、壁面固定手段（５Ｃ）として、粘着剤層を使用することが好ましい。
【００２５】
粘着剤（接着剤）としては、特に限定されず、公知の粘着剤（接着剤）が使用できるが、たとえば、アクリル系粘着剤などが通常使用される。
【００２６】
壁面固定手段（５Ｃ）としては、粘着剤（接着剤）からなる粘着剤層の他にも、釘、ネジ（木ネジなど）、画びょう、面テープ（たとえば、マジックテープ（登録商標））などが挙げられ、これらを単独で使用してもよいし、２種類以上併用してもよい。
【００２７】
壁面固定用額縁は、たとえば、以下のような手順で使用される。
まず、図２（Ａ）に示されるように、壁面Ｗに、背面蓋部５を、壁面固定手段５Ｃを介して固定させる。たとえば、壁面固定手段５Ｃが粘着剤層である場合、その粘着面を壁面に貼着させる。
【００２８】
次いで、図２（Ｂ）に示されるように、壁面固定用額縁の背面板２の開口部に、壁面Ｗに固定された背面蓋部５の伸縮篏合部５Ａをはめ込む（篏合させる）。
最後に、図２（Ｃ）に示されるように、鑑賞物（展示対象物）Ｘを壁面固定用額縁に挿入するなどして保持させる。
【００２９】
ここで、図３（Ａ）〜（Ｂ）に示されるように、鑑賞物（展示対象物）Ｘを、壁面固定用額縁内部にスライドしながら挿入するための隙間部が側面部に設けられていることが好ましい。このような構成を設けると、図３（Ｃ）に示されるように、壁面固定用額縁を、隙間部が下方向（鉛直方向）に位置するように、たとえば９０度程度に回転させることで、鑑賞物（展示対象物）Ｘを容易に取り出すことができ、鑑賞物Ｘの交換が容易となるメリットがある。
【産業上の利用可能性】
【００３０】
本考案によれば、たとえば、絵画や写真などを保持させ、壁面接触部の壁面固定手段で所望の壁面に固定した場合に、任意の角度に傾けたり、回転させたりすることができる壁面固定用額縁を提供することができる。
【符号の説明】
【００３１】
１０：  本考案に係る壁面固定額縁
１：  正面板
１Ａ：  窓部
２：  背面板
３：  背面板
４：  開口部
５：  背面蓋部
５Ａ：  伸縮篏合部
５Ｂ：  壁面接触部
５Ｃ：  壁面固定手段
W：  壁面
X：  鑑賞物（展示対象物）
【図１】
0003227653.tif 000003
【図２】
0003227653.tif 000004
【図３】
0003227653.tif 000005